(57)【要約】【課題】記録媒体をスタックするためのスペースを小さくするとともに多数の記録媒体をスタックできる記録媒体保持装置及び記録装置を提供する。【解決手段】記録処理が施された記録媒体Ｓが排出される第１の媒体支持部材４１と、第１の媒体支持部材４１より低い位置に配置され、第１の媒体支持部材４１から記録媒体Ｓが受け渡される第２の媒体支持部材４２と、を備えた記録媒体保持装置４に関する。第１の媒体支持部材４１は、記録媒体Ｓの搬出方向下流側における記録媒体Ｓの保持面４１ｃが搬出方向上流側における保持面４１ｃよりも高い位置となるように傾斜した状態で配置されている。【選択図】図１
2012218831.tif 000002
【特許請求の範囲】
【請求項１】
記録処理が施された記録媒体が排出される第１の媒体支持部材と、
前記第１の媒体支持部材より低い位置に配置され、該第１の媒体支持部材から前記記録媒体が受け渡される第２の媒体支持部材と、を備えた記録媒体保持装置において、
前記第１の媒体支持部材は、前記記録媒体の搬出方向下流側における前記記録媒体の保持面が搬出方向上流側における前記保持面よりも高い位置となるように傾斜した状態で配置されていることを特徴とする記録媒体保持装置。
【請求項２】
前記第１の媒体支持部材は、前記記録媒体の前記搬出方向上流側における端部が前記第１の媒体支持部材に向けて搬送される前記記録媒体の下面を支持するプラテン部材に当接或いは離間可能に構成されることを特徴とする請求項１に記載の記録媒体保持装置。
【請求項３】
前記第１の媒体支持部材の前記保持面は、前記搬出方向下流側から前記搬出方向上流側に向かって前記第２の媒体支持部材の媒体保持面に対する傾斜を小さくする湾曲部を有することを特徴とする請求項１又は２に記載の記録媒体保持装置。
【請求項４】
前記第２の媒体支持部材は、前記記録媒体の保持面が前記第１の媒体支持部材から離間するに従って下方に傾斜する傾斜面となっていることを特徴とする請求項１〜３のいずれか一項に記載の記録媒体保持装置。
【請求項５】
前記第２の媒体支持部材は、前記第１の媒体支持部材側の一端部に対して該一端部と反対の他端部を下方に傾けることで、前記記録媒体の保持面を前記第１の媒体支持部材から離間するに従って下方に傾斜可能とされることを特徴とする請求項１〜４のいずれか一項に記載の記録媒体保持装置。
【請求項６】
請求項１〜５のいずれか一項に記載の記録媒体保持装置と、
被記録媒体に対して液体を噴射する噴射ヘッドと、
前記噴射ヘッドの下方に前記被記録媒体を搬送するとともに前記液体が噴射されることで所定の印刷処理が施された記録媒体を前記第１の媒体支持部材に向けて排出させる媒体搬送部と、を備えることを特徴とする記録装置。
【請求項７】
前記媒体搬送部は、前記記録媒体の搬送方向の上流側及び下流側に配置される一対の回転ローラーと、該回転ローラーに巻き掛けられて前記記録媒体を搬送する搬送ベルトと、を有し、
前記一対の回転ローラーのうち、搬送方向下流側の回転ローラーが前記第１の媒体支持部材上に支持された前記記録媒体に当接可能な外形を有することを特徴とする請求項６に記載の記録装置。
【発明の詳細な説明】
【技術分野】
【０００１】
本発明は、記録媒体保持装置及び記録装置に関するものである。
【背景技術】
【０００２】
記録装置として所定の記録処理を施した記録用紙（記録媒体）を排出したものを収容する収納式スタッカーを備えたプリンターが知られている（例えば、特許文献１参照）。このプリンターでは、プリンター本体に収納式スタッカーが回動可能に取り付けられており、スタッカーを使用するとき、記録用紙を載置する載置面を略水平状態に配置するようになっている。
【先行技術文献】
【特許文献】
【０００３】
【特許文献１】特開２００４−５９２１４号公報
【発明の概要】
【発明が解決しようとする課題】
【０００４】
しかしながら、上記従来技術ではスタッカーの使用時に載置面が略水平状態とされるため、プリンター本体の前方にスタッカーを使用するための広いスペースを確保する必要が生じてしまうという問題があった。また、スタッカー上に記録用紙がある程度積層されてくると、上方の記録用紙がプリンター本体側に押し出されることで記録用紙の紙詰まりが発生するおそれがあった。
【０００５】
本発明はこのような事情に鑑みてなされたものであって、記録媒体をスタックするためのスペースを小さくするとともに多数の記録媒体をスタックできる記録媒体保持装置及び記録装置を提供することを目的とする。
【課題を解決するための手段】
【０００６】
上記の課題を解決するために、本発明の記録媒体保持装置は、記録処理が施された記録媒体が排出される第１の媒体支持部材と、前記第１の媒体支持部材より低い位置に配置され、該第１の媒体支持部材から前記記録媒体が受け渡される第２の媒体支持部材と、を備えた記録媒体保持装置において、前記第１の媒体支持部材は、前記記録媒体の搬出方向下流側における前記記録媒体の保持面が搬出方向上流側における前記保持面よりも高い位置となるように傾斜した状態で配置されていることを特徴とする。
【０００７】
本発明の記録媒体保持装置によれば、第１の媒体支持部材に排出された記録媒体は保持面に沿って第２の媒体支持部材へとすべり落ちることで確実に受け渡すことができる。記録媒体は第２の媒体支持部材に収容されるため、第１の媒体支持部材上に記録媒体が積み重なることがない。よって、第１の媒体支持部に積み重なった記録媒体により記録媒体の搬送不良が生じるといった不具合の発生を防止できる。また、第１の媒体支持部材が傾斜した状態で配置されるため、第１の媒体支持部材が前方に迫り出すスペースを小さくすることができ、装置構成を小型化できる。したがって、記録媒体をスタックするためのスペースを小さくするとともに多数の記録媒体をスタックできる信頼性の高い装置を提供できる。
【０００８】
また、上記記録媒体保持装置においては、前記第１の媒体支持部材は、前記記録媒体の前記搬出方向上流側における端部が前記第１の媒体支持部材に向けて搬送される前記記録媒体の下面を支持するプラテン部材に当接或いは離間可能に構成されるのが好ましい。
この構成によれば、第１の媒体支持部材をプラテン部材に当接させることで複数の記録媒体をスタックしておくことができる。また、第１の媒体支持部材をプラテン部材から離間させることにより、第１の媒体支持部材及びプラテン部材間に生じた隙間から記録部材を第２の媒体支持部材へと受け渡すことができる。
【０００９】
また、上記記録媒体保持装置においては、前記第１の媒体支持部材の前記保持面は、前記搬出方向下流側から前記搬出方向上流側に向かって前記第２の媒体支持部材の媒体保持面に対する傾斜を小さくする湾曲部を有するのが好ましい。
この構成によれば、第１の媒体支持部材の前記保持面が湾曲部を有するので、第１の媒体支持部材から滑り落ちる記録媒体と第２の媒体支持部材との間に生じる摩擦を抑えることができる。よって、第１の媒体支持部材から第２の媒体支持部材へと滑らかに記録媒体を滑り落とすことができる。
【００１０】
また、上記記録媒体保持装置においては、前記第２の媒体支持部材は、前記記録媒体の保持面が前記第１の媒体支持部材から離間するに従って下方に傾斜する傾斜面となっているのが好ましい。
この構成によれば、第２の媒体支持部材における保持面が傾斜面となっているので、記録媒体と保持面との間の角度を小さくすることで記録媒体と保持面との間に発生する摩擦を抑えることができる。よって、記録媒体を第２の媒体支持部材へとスムーズに受け渡すことができる。
【００１１】
また、上記記録媒体保持装置においては、前記第２の媒体支持部材は、前記第１の媒体支持部材側の一端部に対して該一端部と反対の他端部を下方に傾けることで、前記記録媒体の保持面を前記第１の媒体支持部材から離間するに従って下方に傾斜可能とされるのが好ましい。
この構成によれば、第２の媒体支持部材の他端部を傾けることで記録媒体の保持面を傾斜させることができるので、第１の媒体支持部材から第２の媒体支持部材側へと記録媒体を良好に受け渡すことができる。
【００１２】
本発明の記録装置は、上記記録媒体保持装置と、被記録媒体に対して液体を噴射する噴射ヘッドと、前記噴射ヘッドの下方に前記被記録媒体を搬送するとともに前記液体が噴射されることで所定の印刷処理が施された記録媒体を前記第１の媒体支持部材に向けて排出させる媒体搬送部と、を備えることを特徴とする。
【００１３】
本発明の記録装置によれば、記録媒体をスタックするためのスペースを小さくするとともに多数の記録媒体をスタックできる信頼性の高い記録媒体保持装置を備えるので、本記録装置自体も信頼性が高いものとなる。
【００１４】
また、上記記録装置においては、前記媒体搬送部は、前記記録媒体の搬送方向の上流側及び下流側に配置される一対の回転ローラーと、該回転ローラーに巻き掛けられて前記記録媒体を搬送する搬送ベルトと、を有し、前記一対の回転ローラーのうち、搬送方向下流側の回転ローラーが前記第１の媒体支持部材上に支持された前記記録媒体に当接可能な外形を有するのが好ましい。
この構成によれば、搬送方向下流側の回転ローラーが記録媒体に当接することで記録媒体に対して第２の媒体支持部材側へ向かう搬送力を付与することができる。よって、第２の媒体支持部材に記録媒体を確実に受け渡すことができる。
【図面の簡単な説明】
【００１５】
【図１】第一実施形態に係るプリンターの概略構成を示す側面図。
【図２】第一実施形態に係る用紙収容部における記録用紙の収容動作の説明図。
【図３】第二実施形態に係るプリンターの概略構成を示す側面図。
【図４】第二実施形態に係る用紙収容部における記録用紙の収容動作の説明図。
【図５】第三実施形態に係るプリンターの概略構成を示す側面図。
【図６】第一変形例に係るプリンターの概略構成を示す側面図。
【図７】第二変形例に係るプリンターの概略構成を示す側面図。
【図８】第三変形例に係るプリンターの概略構成を示す側面図。
【図９】第四変形例に係るプリンターの概略構成を示す側面図。
【発明を実施するための形態】
【００１６】
以下、本発明の一実施形態について図面を参照しながら説明する。本実施形態では、記録媒体保持装置及びこれを備えた記録装置の一例について説明する。記録装置は、インクジェット式プリンター（以下、「プリンター」と略す場合もある）から構成されるものである。また、以下の説明における図面中においては、ＸＹＺ座標系を用いる場合があり、具体的に記録が施された記録媒体がプリンターから記録媒体保持装置へと搬送される方向をＸ方向で示し、搬送方向に直交する方向における搬送装置における記録媒体の幅方向をＹ方向で示すものとする。また、また、記録媒体の搬送面に直交する方向をＺ方向で示すものとする。なお、図面中のＸ方向、Ｙ方向及びＺ方向を示す矢印において、「○」の中に「×」が記載されたもの（矢の羽根を後ろから見た図）は紙面の表から裏に向かう矢印を意味するものとする。
【００１７】
（第一実施形態）
図１は第一実施形態に係るプリンター（記録装置）１の概略構成を示す側面図である。図１に示すように、プリンター１は、記録媒体としての記録用紙Ｓを搬送する搬送部２と、記録用紙Ｓにインクを噴射して所定の記録を行う記録ヘッド（噴射ヘッド）３と、記録ヘッド３による記録が行われて搬送部２によって排出された記録用紙Ｓを収容保持する用紙収容部（記録媒体保持装置）４と、記録ヘッド３によって行われた記録用紙Ｓの記録面を撮像する撮像部５と、を備えている。
【００１８】
搬送部２は、記録用紙Ｓを保持するとともに記録ヘッド３の下方に搬送する無端状の搬送ベルト２３と、記録用紙Ｓの搬送方向の上流側及び下流側に配置され、搬送ベルト２３が巻き掛けられる従動ローラー２１及び搬送ローラー２２と、を備えている。従動ローラー２１は、搬送ローラー２２の回転駆動に伴って従動回転するようになっている。搬送ベルト２３は、従動ローラー２１及び搬送ローラー２２が回転することで記録用紙Ｓを同図−Ｘ方向に沿って搬送するようになっている。
【００１９】
記録ヘッド３は、記録用紙Ｓの搬送経路の上側に配置されたガイド軸（不図示）に沿って同図中におけるＹ方向に沿って走査可能となっており、記録用紙Ｓの幅方向に沿って往復移動するようになっている。記録ヘッド３には、液体としてのインクを噴射する複数のノズルが設けられている。記録ヘッド３は搬送部２により搬送される記録用紙Ｓの表面にインクを噴射することで記録用紙Ｓに記録が施されるようになっている。
【００２０】
撮像部５は記録用紙Ｓの記録面を撮像した撮像結果をプリンター１の各機構を制御する制御装置（不図示）へと送信するようになっている。制御装置は撮像部５から送信された撮像結果に基づき、記録ヘッド３による記録用紙Ｓの記録が正常に実行されたか否かについて判定する。制御装置は記録が制御に行われなかった場合、例えば記録ヘッド３のインク切れ等を検出した場合、プリンター１の動作を停止するようになっている。これにより、印刷不良の記録用紙Ｓが大量に排出されてしまい、記録用紙Ｓを無駄にするといったことが無い。
【００２１】
プリンター１は、１つの印刷ジョブに含まれる印刷データを複数に分割し、分割された各印刷データに基づく印刷処理を記録ヘッド３の走査毎に行うとともに、各印刷処理の合間に、記録用紙Ｓの印刷が施された部分が間欠的に搬送されるようになっている。すなわち、プリンター１は、記録ヘッド３が記録用紙Ｓの幅方向に走査しながらインクを噴射する動作と搬送部２による記録用紙Ｓの紙送り動作とを交互に繰り返すことで、１つの印刷ジョブに基づく画像を形成するようになっている。
【００２２】
用紙収容部４は、第１トレイ（第１の媒体支持部材）４１と、第２トレイ（第２の媒体支持部材）４２と、を有している。第１トレイ４１は、記録ヘッド３による記録が施されて搬送部２から排出される記録用紙Ｓを受け取るためのものである。
【００２３】
また、第２トレイ４２は、第１トレイ４１から受け渡された記録用紙Ｓを保持するためのものである。第２トレイ４２は、第１トレイ４１よりも鉛直方向（Ｚ方向）における低い位置（−Ｚ方向）に配置されており、本実施形態では２つ設けられている。すなわち、本実施形態に係る用紙収容部４では、第２トレイ４２が多段に設けられたものとなっている。なお、第２トレイ４２は、下方に配置される他の第２トレイ４２に対して、記録用紙Ｓの排出方向（Ｘ方向）に沿って移動可能とされている。
【００２４】
また、第１トレイ４１は、記録用紙Ｓの搬送部２における排出方向（−Ｘ方向）の下流側における端部４１ａが上流側における端部４１ｂの上方に配置されるように取り付けられている。すなわち、第１トレイ４１は、第１トレイ４１の一面により構成される記録用紙Ｓの保持面４１ｃにおける記録用紙Ｓの排出方向下流側が搬出方向上流側よりも高い位置となるように傾斜した状態に配置されたものとなっている。これにより、搬送部２から排出されて第１トレイ４１の保持面４１ｃに載置された記録用紙Ｓは、傾斜した保持面４１ｃに沿って下方に配置された第２トレイ４２へと受け渡されるようになっている。
【００２５】
続いて、プリンター１の動作について図１、図２を参照しながら説明する。本説明では、用紙収容部４における記録用紙Ｓの収容動作を主体に説明する。最初に、プリンター１は、記録ヘッド３を駆動し、搬送部２により搬送される記録用紙Ｓに対してインクを吐出し、所定の記録動作を行う。このとき、プリンター１は撮像部５を駆動し、記録用紙Ｓの記録が正常に実行されたか否かについて判定する。
【００２６】
記録処理が施された記録用紙Ｓは、搬送部２によって用紙収容部４の第１トレイ４１へと排出される。第１トレイ４１に排出された記録用紙Ｓは、傾斜した保持面４１ｃに沿って図１に示したように上段に配置される第２トレイ４２内へと収容される。同様に、第２トレイ４２内には複数の記録用紙Ｓが積層されて収容されることとなる。
【００２７】
上段に配置された第２トレイ４２に最大枚数の記録用紙Ｓが収容された後、用紙収容部４は図２に示すように上段の第２トレイ４２を下段の第２トレイ４２に対し、＋Ｘ方向にスライドさせる。これにより、用紙収容部４は、下段の第２トレイ４２内に記録用紙Ｓを収容するためのスペースを確保することができる。よって、用紙収容部４は、第１トレイ４１に排出された記録用紙Ｓは、傾斜した保持面４１ｃに沿って下段の第２トレイ４２内に良好に収容されるようになる。
【００２８】
以上述べたように、本実施形態に係るプリンター１によれば、用紙収容部４の第１トレイ４１に排出された記録用紙Ｓは保持面４１ｃに沿って第２トレイ４２へとすべり落ちることで確実に受け渡すことができる。記録用紙Ｓは第２トレイ４２に収容されるため、第１トレイ４１上に記録用紙Ｓが積み重なることがない。よって、第１トレイ４１に積み重なった記録用紙Ｓにより記録用紙Ｓの搬送不良が生じるといった不具合の発生を防止できる。
【００２９】
また、第１トレイ４１が傾斜した状態で配置されるため、第１トレイ４１が前方（−Ｘ方向）に迫り出すスペースを小さくすることができ、装置構成を小型化できる。したがって、記録用紙Ｓをスタックするためのスペースを小さくするとともに多数の記録用紙Ｓをスタックできる信頼性の高いプリンター１を提供できる。
【００３０】
第２トレイ４２が複数配置されているので、多数の記録用紙Ｓを収容することができる。また、第２トレイ４２が鉛直方向に沿って配置されるため、第２トレイ４２の設置スペースを抑えることができる。
【００３１】
（第二実施形態）
続いて、本発明の第二実施形態に係るプリンターについて説明する。本実施形態と第一実施形態との違いは搬送部及び用紙収容部の構成であり、それ以外の構成については第一実施形態と共通である。そのため、第一実施形態と同一及び共通の構成については、同一の符号を付し、その説明については省略若しくは簡略化するものとする。
【００３２】
図３は本実施形態に係るプリンター１０の概略構成を示す側面図である。図３に示すように、プリンター１０は、記録用紙Ｓを搬送する搬送部３８と、記録ヘッド３と、用紙収容部４と、撮像部５と、を備えている。
【００３３】
搬送部３８は、記録用紙Ｓを挟持するとともに用紙収容部４側に向けて搬送する第一ローラー対３５と、第二ローラー対３６と、記録用紙Ｓの裏面を支持するプラテン部材３０と、を有している。第一ローラー対３５は、記録用紙Ｓを挟持する搬送ローラー３１と該搬送ローラー３１の回転により従動回転する従動ローラー３２とを含んでいる。また、第二ローラー対３６は、記録用紙Ｓを挟持する搬送ローラー３３と該搬送ローラー３３の回転により従動回転する従動ローラー３４とを含んでいる。
【００３４】
プラテン部材３０は記録用紙Ｓの裏面を支持する支持面３０ａを有している。上記従動ローラー３２及び従動ローラー３４は、それぞれの上面（記録用紙Ｓの支持面）がプラテン部材３０の支持面３０ａと面一となるように取り付けられている。
【００３５】
本実施形態においては、用紙収容部４の第１トレイ４１が不図示の回動機構によって回動可能に構成されている。これにより、第１トレイ４１は、記録用紙Ｓの排出方向（−Ｘ方向）の上流側の端部４１ｂがプラテン部材３０に当接或いは離間可能となっている。
【００３６】
続いて、プリンター１０の動作について図４を参照しながら説明する。本説明では、用紙収容部４における記録用紙Ｓの収容動作を主体に説明する。最初に、プリンター１０は、記録ヘッド３を駆動し、搬送部３８により搬送される記録用紙Ｓに対してインクを吐出し、所定の記録動作を行う。このとき、プリンター１は撮像部５を駆動し、記録用紙Ｓの記録が正常に実行されたか否かについて判定する。
【００３７】
記録処理が施された記録用紙Ｓは、搬送部３８によって用紙収容部４の第１トレイ４１へと排出される。このとき、用紙収容部４は、図４（ａ）に示すように第１トレイ４１の端部４１ｂをプラテン部材３０に当接させておく。これにより、第１トレイ４１に排出された記録用紙Ｓはプラテン部材３０の側面３０ａに当接することで保持面４１ｃ上に保持されることとなる。プリンター１０は搬送部３８によって排出された記録用紙Ｓを第１トレイ４１上に複数枚をストックすることができる。
【００３８】
プリンター１０は第１トレイ４１に所定枚数の記録用紙Ｓがストックされると、図４（ｂ）に示すように不図示の回動機構によって第１トレイ４１を回動させてプラテン部材３０から離間させる。これにより、第１トレイ４１の端部４１ｂとプラテン部材３０との間に生じた隙間から記録用紙Ｓを第２トレイ４２内に滑り込ませることができる。よって、第２トレイ４２内に複数の記録用紙Ｓを収容することができる。
【００３９】
プリンター１０は、第１トレイ４１から第２トレイ４２に記録用紙Ｓの受け渡しが完了した後、不図示の回動機構によって第１トレイ４１を回動させて端部４１ｂをプラテン部材３０に当接させる。これにより、プリンター１０は、再び第１トレイ４１上に記録用紙Ｓをストック可能な状態となる。
【００４０】
なお、プリンター１０は、上段に配置された第２トレイ４２に最大枚数の記録用紙Ｓが収容された後、用紙収容部４は図２に示したように上段の第２トレイ４２を下段の第２トレイ４２に対し、＋Ｘ方向にスライドさせることで下段の第２トレイ４２に対しても同様に記録用紙Ｓを良好に収容することができる。
【００４１】
本実施形態に係るプリンター１０においても、用紙収容部４の第１トレイ４１に排出された記録用紙Ｓは所定枚数溜まるごとに保持面４１ｃに沿って第２トレイ４２へとすべり落ちることで確実に受け渡すことができる。よって、第１トレイ４１に積み重なった記録用紙Ｓにより記録用紙Ｓの搬送不良が生じるといった不具合の発生を防止できる。
【００４２】
また、第１トレイ４１をプラテン部材３０に当接させることで複数の記録用紙Ｓをスタックしておくことができる。また、第１トレイ４１をプラテン部材３０から離間させることにより、第１トレイ４１及びプラテン部材３０間に生じた隙間から記録用紙Ｓを第２トレイ４２へと受け渡すことができる。
【００４３】
（第三実施形態）
続いて、本発明の第三実施形態に係るプリンターについて説明する。本実施形態と上記第一実施形態との違いは搬送部の構成であり、それ以外の構成については第一実施形態と共通である。そのため、第一実施形態と同一及び共通の構成については、同一の符号を付し、その説明については省略若しくは簡略化するものとする。
【００４４】
図５は本実施形態に係るプリンター１００の概略構成を示す側面図である。図５に示すように、プリンター１００は、記録用紙Ｓを搬送する搬送部５０と、記録ヘッド３と、用紙収容部４と、撮像部５と、を備えている。
【００４５】
搬送部５０は、搬送ベルト２３と、搬送ベルト２３が巻き掛けられる従動ローラー２１及び搬送ローラー２２と、を備えている。搬送ベルト２３は、従動ローラー２１及び搬送ローラー２２が回転することで記録用紙Ｓを同図−Ｘ方向に沿って搬送するようになっている。
【００４６】
本実施形態においては、記録用紙Ｓの搬送方向下流側に配置される搬送ローラー２２が従動ローラー２１に比べて大きな外形を有している。具体的に搬送ローラー２２は、図５に示すように用紙収容部４の第１トレイ４１の保持面４１ｃに排出された記録用紙Ｓに当接可能な外形を有している。このような構成に基づき、搬送ローラー２２は、保持面４１ｃ上の記録用紙Ｓに当接することで該記録用紙Ｓに対して第２トレイ４２側へ向かう搬送力を付与できるようになっている。
【００４７】
続いて、プリンター１００の動作について説明する。本説明では、用紙収容部４における記録用紙Ｓの収容動作を主体に説明する。最初にプリンター１０は、記録ヘッド３を駆動し、搬送部５０により搬送される記録用紙Ｓに対してインクを吐出し、所定の記録動作を行う。このとき、プリンター１は撮像部５を駆動し、記録用紙Ｓの記録が正常に実行されたか否かについて判定する。
【００４８】
記録処理が施された記録用紙Ｓは、搬送部５０によって用紙収容部４の第１トレイ４１へと排出される。第１トレイ４１に排出された記録用紙Ｓは、傾斜した保持面４１ｃに沿って下方へと滑り落ち、搬送ローラー２２に当接することで第２トレイ４２へと向かう搬送力が付与される。これにより、記録用紙Ｓは図５に示したように上段に配置される第２トレイ４２内へと収容される。同様にして、搬送部５０を駆動することで第２トレイ４２内には記録用紙Ｓが複数積層されて収容されることとなる。
【００４９】
以上述べたように、本実施形態に係るプリンター１００によれば、用紙収容部４の第１トレイ４１の保持面４１ｃ上に排出された記録用紙Ｓに搬送ローラー２２による搬送力を付与することで確実に第２トレイ４２側に受け渡すことができる。よって、記録用紙Ｓが保持面４１ｃとの間に生じた摩擦によって第１トレイ４１から滑り落ちないといった不具合の発生を防止することができる。
【００５０】
なお、本発明は上述した実施形態に限定されることはなく、発明の趣旨を逸脱しない範囲において適宜変更可能である。
【００５１】
例えば、第一実施形態において、第１トレイ４１が記録用紙Ｓの排出方向（−Ｘ方向）の上流側における端部４１ｂを第２トレイ４２に進退させるようにスライド可能な構成を採用しても構わない。これによれば、上段の第２トレイ４２を下段の第２トレイ４２に対して＋Ｘ方向にスライドした際に、図６に示すように第１トレイ４１が記録用紙Ｓの排出方向（−Ｘ方向）の上流側における端部４１ｂが第２トレイ４２に近づくので、第１トレイ４１から第２トレイ４２へと記録用紙Ｓを良好に受け渡すことができる。なお、第二実施形態及び第三実施形態において、上段の第２トレイ４２を下段の第２トレイ４２に対して＋Ｘ方向にスライドする際に、第１トレイ４１の端部４１ｂを第２トレイ４２に近づけるようにスライドさせるようにしても構わない。
【００５２】
また、第一実施形態において、図７に示すように用紙収容部４の第２トレイ４２の記録用紙Ｓを支持する保持面４２ａが第１トレイ４１から離間するに従って下方に傾斜する傾斜面とする構成を採用しても構わない。これによれば、第２トレイ４２における保持面４２ａが傾斜面となっているので、第１トレイ４１から受け渡される記録用紙Ｓが第２トレイ４２の保持面４２ａとの間になす角度を小さくすることで記録用紙Ｓと保持面４２ａとの間に発生する摩擦を抑えることができる。よって、記録用紙Ｓを第２トレイ４２へとスムーズに受け渡すことができる。なお、第二実施形態及び第三実施形態において、第２トレイ４２における保持面４２ａを傾斜面とするようにしても構わない。
【００５３】
また、第一実施形態において、図８に示すように用紙収容部４の第２トレイ４２における第１トレイ４１側の端部４２ｂに対して第１トレイ４１と反対側の端部４２ｃを下方に傾けることで、第２トレイ４２の保持面４２ａを第１トレイ４１から離間するに従って下方に傾斜する傾斜面とする構成を採用しても構わない。これによれば、第２トレイ４２の保持面４２ａが傾斜面となっているので、第１トレイ４１から受け渡される記録用紙Ｓが第２トレイ４２の保持面４２ａとの間になす角度を小さくすることで記録用紙Ｓと保持面４２ａとの間に発生する摩擦を抑えることができる。よって、記録用紙Ｓを第２トレイ４２へとスムーズに受け渡すことができる。なお、第二実施形態及び第三実施形態において、第２トレイ４２を傾けることで保持面４２ａを第１トレイ４１から離間するに従って下方に傾斜する傾斜面とするようにしても構わない。
【００５４】
また、第一実施形態において、図９に示すように用紙収容部４の第１トレイ４１の保持面４１ｃが記録用紙Ｓの排出方向下流側（−Ｘ方向）から上流側（＋Ｘ方向）に向かって第２トレイ４２の保持面４２ａに対する傾斜を小さくする湾曲部４５を有する構成であっても構わない。これによれば、第１トレイ４１の保持面４１ｃから滑り落ちる記録用紙Ｓと第２トレイ４２との間に生じる摩擦を抑えることができる。よって、第１トレイ４１から第２トレイ４２へと滑らかに記録用紙Ｓを滑り落とすことができる。なお、第二実施形態及び第三実施形態において、第１トレイ４１に湾曲部４５を設けるようにしても構わない。
【００５５】
また、上記実施形態において、例えば撮像部５に代えて或いは撮像部５とともに記録ヘッド３によりインクが吐出された記録用紙Ｓの印刷面に乾燥させるためのヒーターを設けてもよい。これによれば、記録用紙Ｓに吐出されたインクにヒーターから温風を当てることで記録用紙Ｓが用紙収容部４に収容されるまでにインクを確実に乾燥させることができるようになっている。これにより、記録用紙Ｓの印刷面が汚れてしまうといった不具合の発生を防止することができる。
【００５６】
また、上記実施形態では、記録方式としてインクジェット方式を採用した記録装置について記載したが、電子写真方式や熱転写方式など、任意の記録方式の記録装置に変更することもできる。また、記録装置はプリンターに限らず、ＦＡＸ装置、コピー装置、あるいはこれら複数機能を備えた複合機等であってもよい。さらに、記録装置として、インク以外の他の液体の微小量の液滴を噴射したり吐出したりする液体噴射ヘッド等を備える液体噴射装置を採用してもよい。なお、液滴とは、上記液体噴射装置から吐出される液体の状態をいい、粒状、涙状、糸状に尾を引くものも含むものとする。また、ここでいう液体とは、液体噴射装置が噴射させることができるような材料であればよい。例えば、物質が液相であるときの状態のものであればよく、粘性の高い又は低い液状体、ゾル、ゲル水、その他の無機溶剤、有機溶剤、溶液、液状樹脂、液状金属（金属融液）のような流状態、また物質の一状態としての液体のみならず、顔料や金属粒子などの固形物からなる機能材料の粒子が溶媒に溶解、分散又は混合されたものなどを含む。また、液体の代表的な例としては上記実施形態で説明したようなインクや液晶等が挙げられる。ここで、インクとは一般的な水性インク及び油性インク並びにジェルインク、ホットメルトインク等の各種液体組成物を包含するものとする。液体噴射装置の具体例としては、例えば液晶ディスプレイ、ＥＬ（エレクトロルミネッセンス）ディスプレイ、面発光ディスプレイ、カラーフィルタの製造などに用いられる電極材や色材などの材料を分散又は溶解のかたちで含む液体を噴射する液体噴射装置、バイオチップ製造に用いられる生体有機物を噴射する液体噴射装置、精密ピペットとして用いられ試料となる液体を噴射する液体噴射装置、捺染装置やマイクロディスペンサ等であってもよい。
【符号の説明】
【００５７】
１，１０，１００…プリンター（記録装置）、Ｓ…記録用紙（記録媒体）、３…記録ヘッド、４…用紙収容部（記録媒体保持装置）、２１…従動ローラー、２２…搬送ローラー、２３…搬送ベルト、３０…プラテン部材、４１…第１トレイ（第１の媒体支持部材）、４１ｃ…保持面、４２…第２トレイ（第２の媒体支持部材）、４２ａ…保持面、４５…湾曲部
【図１】
2012218831.tif 000003
【図２】
2012218831.tif 000004
【図３】
2012218831.tif 000005
【図４】
2012218831.tif 000006
【図５】
2012218831.tif 000007
【図６】
2012218831.tif 000008
【図７】
2012218831.tif 000009
【図８】
2012218831.tif 000010
【図９】
2012218831.tif 000011